(57)【要約】  本発明は、センサドーム（２）と、特にトランスミッション壁（３’）であるケーシング壁（３）とを有しており、センサドーム（２）は、センサ（４）と、センサ（４）に電気的に接続されたドームコンタクト（６）と、ドームケーシング（７）とを有しており、ドームケーシング（７）は、センサ（４）が配置された第１のドームケーシング部（８）と、ドームコンタクト（６）が配置された第２のドームケーシング部（９）とを有している、センサドームユニット（１）に関する。有利な改良に関して提案するのは、ケーシング壁（３）に貫通開口（１２）が形成されていて、センサドーム（２）がケーシング壁（３）に取り付けられており、第１のドームケーシング部（８）の少なくとも外側表面（１３）は、センサドーム（２）とケーシング壁（３）の壁内面（１５）とに隣接する第１の室（１４）に面しており、かつドームコンタクト（６）は、センサドーム（２）とケーシング壁（３）の壁外面（１７）とに隣接する第２の室（１６）に面している点である。
2018533177.tif 000002
【特許請求の範囲】
【請求項１】
センサドーム（２）と、特にトランスミッション壁（３’）であるケーシング壁（３）とを有しており、前記センサドーム（２）は、センサ（４）と、該センサ（４）に電気的に接続されたドームコンタクト（６）と、ドームケーシング（７）とを有しており、該ドームケーシング（７）は、前記センサ（４）が配置された第１のドームケーシング部（８）と、前記ドームコンタクト（６）が配置された第２のドームケーシング部（９）とを有している、センサドームユニット（１）であって、
前記ケーシング壁（３）に貫通開口（１２）が形成されていて、前記センサドーム（２）が前記ケーシング壁（３）に取り付けられており、前記第１のドームケーシング部（８）の少なくとも外側表面（１３）は、前記センサドーム（２）と前記ケーシング壁（３）の壁内面（１５）とに隣接する第１の室（１４）に面しており、かつ前記ドームコンタクト（６）は、前記センサドーム（２）と前記ケーシング壁（３）の壁外面（１７）とに隣接する第２の室（１６）に面していることを特徴とする、センサドームユニット。
【請求項２】
当該センサドームユニットは、シール手段（１８）を有しており、前記センサドーム（２）と前記シール手段（１８）とは、前記ケーシング壁（３）に、前記貫通開口（１２）の閉鎖部（２１）を形成するように取り付けられており、前記シール手段（１８）は、前記第１の室（１４）と前記第２の室（１６）との間で前記閉鎖部（２１）のシールを形成している、請求項１記載のセンサドームユニット。
【請求項３】
シールされた前記閉鎖部（２１）はオイル密に、かつ特に気密に形成されている、請求項１から２までのいずれか１項または複数項に記載のセンサドームユニット（１）。
【請求項４】
当該センサドームユニット（１）は、前記センサドーム（２）を前記ケーシング壁（３）に固定する固定手段（２３）、特に１つのねじまたは複数のねじを有している、請求項１から３までのいずれか１項または複数項に記載のセンサドームユニット（１）。
【請求項５】
前記ドームケーシング（７）は、前記第１のドームケーシング部（８）と前記第２のドームケーシング部（９）との間に形成されており、前記ケーシング壁（３）の前記壁外面（１７）に、前記固定手段（２３）と前記シール手段（１８）とを介して封止するように固定された接続部（１１）を有している、請求項１から４までのいずれか１項または複数項に記載のセンサドームユニット（１）。
【請求項６】
前記ドームケーシング（７）は、プラスチックを有している、またはプラスチックから成っており、前記センサ（４）は、特にプラスチック中に埋設されている、請求項１から５までのいずれか１項または複数項に記載のセンサドームユニット（１）。
【請求項７】
前記接続部（１１）はフランジとして形成されており、前記センサドーム（２）の長手方向（Ｌ）に関して前記第１のドームケーシング部（８）は前記フランジの第１の側に形成されており、前記第２のドームケーシング部（９）は前記フランジの第２の側に形成されている、請求項１から６までのいずれか１項または複数項に記載のセンサドームユニット（１）。
【請求項８】
前記シール手段（１８）は、前記壁外面（１７）または前記接続部（１１）に形成された溝（２０）に挿入されたシールリング、特にＯリング（１９）を有している、請求項１から７までのいずれか１項または複数項に記載のセンサドームユニット（１）。
【請求項９】
前記第２のドームケーシング部（９）は、前記フランジを起点とするコネクタ壁（２４）を有しており、該コネクタ壁（２４）は、周方向で環状に閉じられて前記ドームコンタクト（６）を包囲するように延在している、請求項１から８までのいずれか１項または複数項に記載のセンサドームユニット（１）。
【請求項１０】
前記ドームコンタクト（６）は圧接コンタクト（２５）として、またはブレードコンタクトとして形成されている、請求項１から９までのいずれか１項または複数項に記載のセンサドームユニット（１）。
【請求項１１】
前記センサ（４）は、前記センサドーム（２）の長手方向（Ｌ）に関して、前記シール手段（１８）から前記ドームコンタクト（６）よりも大きな間隔をあけて配置されている、請求項１から１０までのいずれか１項または複数項に記載のセンサドームユニット（１）。
【請求項１２】
当該センサドームユニット（１）には、回路コンタクト（２７）を有する制御回路（２６）が含まれており、前記回路コンタクト（２７）は、前記ドームコンタクト（６）と導電接続されているか、または導電接続可能である、請求項１から１１までのいずれか１項または複数項に記載のセンサドームユニット（１）。
【請求項１３】
前記ドームコンタクト（６）と前記回路コンタクト（２７）とは、各１つのドームコンタクト（６）と各１つの回路コンタクト（２７）との間で、特に差込み緊締接続部である各１つの導電性の差込み接続部（２９）が得られるように形成されている、請求項１から１２までのいずれか１項または複数項に記載のセンサドームユニット（１）。
【請求項１４】
前記ドームコンタクト（６）は圧接コンタクト（２５）として形成されており、かつ回路コンタクト（２７）はブレードコンタクト（２８）として形成されている、または、前記ドームコンタクト（６）はブレードコンタクトとして形成されており、かつ回路コンタクト（２７）は圧接コンタクトとして形成されている、請求項１から１３までのいずれか１項または複数項に記載のセンサドームユニット（１）。
【請求項１５】
前記ケーシング壁（３）は、複数の貫通開口（１２）を有しており、当該センサドームユニット（１）には複数のセンサドーム（２）と複数のシール手段（１８）とが含まれており、各１つのセンサドーム（２）が、各１つの貫通開口（１２）の領域内で前記ケーシング壁（３）に取り付けられており、前記センサドーム（２）の第１のドームケーシング部（８）の少なくとも外側表面（１３）は、前記センサドーム（２）と前記ケーシング壁（３）の壁内面（１５）とに隣接する第１の室（１４）に面しており、前記ドームコンタクト（６）は、前記センサドーム（２）と前記ケーシング壁（３）の壁外面（１７）とに隣接する第２の室（１６）に面しており、前記各センサドーム（２）とシール手段（１８）とは、前記各貫通開口（１２）の閉鎖部（２１）を形成するように前記ケーシング壁（３）に取り付けられており、前記シール手段（１８）は、前記第１の室（１４）と前記第２の室（１６）との間で前記閉鎖部（２１）のシールを形成している、請求項１から１４までのいずれか１項または複数項に記載のセンサドームユニット（１）。
【請求項１６】
前記制御回路（２６）に接続される各センサドーム（２）は、特に取り外し可能な電気的な差込み接続部（１９）を介して前記制御回路（２６）に接続されている、または接続可能である、請求項１から１５までのいずれか１項または複数項に記載のセンサドームユニット（１）。
【請求項１７】
前記ケーシング壁（３）はトランスミッション外壁であり、前記第１の室（１４）は、歯車（２２）が位置するトランスミッション内室であり、前記第２の室（１６）は、前記第１の室（１４）からは全体的にシールされている、請求項１から１６までのいずれか１項または複数項に記載のセンサドームユニット（１）。
【請求項１８】
前記回路コンタクト（２７）は、前記制御回路（２６）からコネクタ（３０）内に通じており、該コネクタ（３０）は、コネクタ底部（３１）と、該コネクタ底部（３１）を起点とするコネクタカラー（３２）とを有しており、該コネクタカラー（３２）は、コネクタ周面に沿って、特に周囲を閉じられており、前記回路コンタクト（２７）は、前記コネクタ底部（３１）を越えて突出しており、前記コネクタカラー（３２）と前記コネクタ壁とは、前記電気的な差込み接続部（２９）の差込み方向において、互いにオーバラップしている、請求項１から１７までのいずれか１項または複数項に記載のセンサドームユニット（１）。
【請求項１９】
前記制御回路（２６）は、トランスミッションの制御および／調整に適したまたは適合された電子回路である、請求項１から１８までのいずれか１項または複数項に記載のセンサドームユニット（１）。
【請求項２０】
請求項１から１９までのいずれか１項記載の１つまたは複数の特徴を有する、センサドームユニット（１）。
【発明の詳細な説明】
【技術分野】
【０００１】
本発明は、センサドームと、特にトランスミッション壁であるケーシング壁とを有しており、センサドームは、センサと、センサに電気的に接続されたドームコンタクトと、ドームケーシングとを有しており、ドームケーシングは、センサが配置された第１のドームケーシング部と、ドームコンタクトが配置された第２のドームケーシング部とを有している、センサドームユニットに関する。
【背景技術】
【０００２】
請求項１の上位概念に記載のセンサドームユニットは、例えば自動車のトランスミッションに用いられ、これにより、オイル雰囲気に晒されたトランスミッション室内で電気回路から隔離された所望の位置に、センサを配置することができる。例えば、回転数センサまたはギヤ調整器センサを備えたセンサドームが知られている。この場合に一般的なのは、１つまたは複数のセンサドームに接続された電子制御装置を、センサドームと共に、トランスミッションオイルまたは別のトランスミッション媒体に晒されたトランスミッション室の内部に配置することであり、このとき電子回路はトランスミッションオイルまたはトランスミッション媒体に晒された状態になっている。他方では、エンジンルームおよびトランスミッション内の制御装置の堅牢性に対する自動車メーカの要求が、以前から継続的に高まってきている。これらの要求には、トランスミッション内またはエンジンルーム内の腐食性媒体およびオイルによる化学的な腐食に対する、電子制御装置の改良された防護手段や、より高い耐久性も含まれている。
【発明の概要】
【発明が解決しようとする課題】
【０００３】
この背景に対して、本発明の根底を成す課題は、請求項１の上位概念に記載のセンサドームユニットを有利に改良する点にある。特に、これにより個々のまたは複数の上記欠点を回避することができる、ということを目標とする。
【課題を解決するための手段】
【０００４】
この課題を解決するために本発明が提案するのは、ケーシング壁に貫通開口が形成されていて、センサドームがケーシング壁に取り付けられており、第１のドームケーシング部の少なくとも外側表面は、センサドームとケーシング壁の壁内面とに隣接する第１の室に面しており、かつドームコンタクトは、センサドームとケーシング壁の壁外面とに隣接する第２の室に面していることである。
【０００５】
好適には、第１の室は、例えばトランスミッションオイルで潤滑される歯車が位置しているトランスミッション内室であってよく、第２の室は、トランスミッション壁およびセンサドームユニットにより、トランスミッション壁およびセンサドームユニットからシールされて分離された、電子回路用の収容室であってよい（電子回路に代えて電子制御装置と言うこともできる）。本発明によるセンサドームユニットは、例えばケーシング壁内またはトランスミッション室内に位置していてよい所望の位置にセンサを配置することを可能にする一方で、センサに接続された電子回路は、トランスミッション内室以外の、好適にはオイルや別の腐食性のトランスミッション媒体に対してシールされた、つまり防護された別の室内に配置できるようになっている。これにより、電子制御装置が従来のように永続的に腐食性媒体中に位置している状態を防ぐことができる。このことは、化学的な腐食に対する耐久性を可能にすると共に、制御装置の堅牢性をも向上させ、これにより同時に、電子制御装置の保守整備作業のし易さを改善することができる。センサドームユニットの使用または周辺環境に応じて、その都度、室の代わりに室領域と言うこともある。一般に、壁内面の代わりにケーシング壁の第１の壁面と言い、壁外面の代わりにケーシング壁の第２の壁面と言うこともある。
【０００６】
本発明によるセンサドームユニットの好適な改良に関しては、多数の可能性が存在している。
【０００７】
好適には、センサドームユニットはシール手段を有しており、センサドームとシール手段とは、ケーシング壁に、貫通開口の閉鎖部を形成するように取り付けられており、シール手段は、第１の室と第２の室との間で閉鎖部のシールを形成している。シール手段は、例えば別個のシール、例えばＯリング等であってよい。シール手段がセンサドームおよび／またはケーシング壁に直接に形成されている可能性も、やはり存在する。センサドームとシール手段とによって、貫通開口のシールされた閉鎖部がケーシング壁に形成されることにより、壁外面に隣接する、例えば電子制御回路を取り付けるために決められた室の、トランスミッションオイルまたは別の腐食性媒体に対する防護手段を改良することができる。好適には、シールされた閉鎖部はオイル密に、かつ特に気密に形成されている。
【０００８】
センサドームユニットが、センサドームをケーシング壁に固定する固定手段、特に１つまたは複数のねじを有している点は、実用的であると見なされる。
【０００９】
ドームケーシングが、第１のドームケーシング部と第２のドームケーシング部との間に形成されており、ケーシング壁の壁外面に固定手段とシール手段とを介して封止するように固定された接続部を有している可能性も存在する。ドームケーシングが、プラスチックを有している、またはプラスチックから成っている点は実用的であると見なされ、この場合、センサは特にプラスチック中に埋設されている。センサを１つまたは複数の側、特に全ての側から包囲するように、プラスチックが射出されている可能性も存在する。接続部がフランジとして形成されており、センサドームの長手方向に関して第１のドームケーシング部はフランジの第１の側に形成されており、第２のドームケーシング部はフランジの第２の側に形成されている点は、実用的であると見なされる。シール手段が、壁外面または接続部に形成された溝に挿入されたシールリング、特にＯリングを有している可能性も存在する。
【００１０】
第２のドームケーシング部が、フランジを起点とするコネクタ壁を有しており、コネクタ壁は、周方向で環状に閉じられてドームコンタクトを包囲するように延在している点は、実用的であると見なされる。このことは、コネクタインタフェースの形成を可能にする。好適には、ドームコンタクトは圧接コンタクトとして、またはブレードコンタクトとして形成されている。
【００１１】
要求に応じて、センサがセンサドームの長手方向に関して、シール手段からドームコンタクトよりも大きな間隔をあけて配置されていると、有利な場合がある。
【００１２】
センサドームユニットに、回路コンタクトを有する制御回路が含まれており、回路コンタクトは、ドームコンタクトと導電接続されているか、または導電接続可能であるという可能性も存在する。好適には、制御回路はトランスミッション制御装置であるか、またはトランスミッション制御装置の１つの構成部材であってよい。制御回路に代えて、電子制御装置またはトランスミッション制御装置と言うこともできる。制御回路または電子制御装置は、例えばトランスミッションで使用される弁の制御に適していてよい。
【００１３】
１つの好適な実施例では、ドームコンタクトと回路コンタクトとは、各１つのドームコンタクトと各１つの回路コンタクトとの間に形成される、特に差込み緊締接続部である各１つの導電性の差込み接続部を得るために、特に互いに適合されている、という可能性が存在する。各１つのドームコンタクトが各１つの回路コンタクトと共に１つの差込み緊締接続部を形成する場合には、これにより電気的な接続のみならず、同時に機械的な固定も達成される。この場合にドームコンタクトと回路コンタクトとの間に作用する締付け力は、接続部の望ましくない離脱を防止する。好適には、ドームコンタクトは圧接コンタクトとして形成されており、かつ回路コンタクトはブレードコンタクトとして形成されている。代替的に、ドームコンタクトがブレードコンタクトとして形成されており、かつ回路コンタクトが圧接コンタクトとして形成されている可能性も存在すると考えられる。圧接コンタクトは、有利な多重差込み特性を有している。トランスミッションにおいて考えられる用途は、例えば弁用の差込みシステムである。用途としては、例えば液圧コンポーネントに予め取り付けられていてよいケーシング壁またはトランスミッション壁に対するトランスミッション制御装置の取付けも考えられる。トランスミッションコンポーネントに対するトランスミッション制御装置の取付けに際しては、センサドームに対する電子制御装置の機械的な差込み接続部が形成可能であると同時に、電気的な接続部も形成可能である。圧接コンタクトシステムは、生じ得るあらゆる製造誤差においてコンタクト被覆部が生じるように設計されていてよい。
【００１４】
ケーシング壁が複数の貫通開口を有しており、センサドームユニットには複数のセンサドームと複数のシール手段とが含まれる可能性も存在している。この場合、各１つのセンサドームが、各１つの貫通開口の領域内でケーシング壁に取り付けられており、センサドームの第１のドームケーシング部の少なくとも外側表面は、センサドームとケーシング壁の壁内面とに隣接する第１の室に面しており、ドームコンタクトは、センサドームとケーシング壁の壁外面とに隣接する第２の室に面しており、各センサドームとシール手段とは、各貫通開口の閉鎖部を形成するようにケーシング壁に取り付けられており、シール手段は、第１の室と第２の室との間で閉鎖部のシールを形成している。
【００１５】
制御回路に接続される各センサドームは、特に取り外し可能な電気的な差込み接続部を介して制御回路に接続されている、または接続可能である、という可能性も存在する。この点において本発明は、特に組込み式の電子制御装置も提案し、この組込み式の電子制御装置はセンサドームと協働するが、電子制御装置と取り外し不能に接続されたセンサドームは１つもない。本発明による好適な差込み接続部に基づき、センサドームを電子制御装置から分離することができるようになっており、これにより、保守整備作業のし易さと媒体に対する耐久性とを向上することができる。
【００１６】
好適には、ケーシング壁はトランスミッション外壁であり、第１の室は、歯車が位置するトランスミッション内室であり、第２の室は、第１の室からは全体的にシールされている。この点において、第２の室は、好適には組込み式のトランスミッション電子制御装置を取り付けるための、オイルが存在しない室であってよい。
【００１７】
ドームコンタクトおよび回路コンタクトは、導電性の材料から製造されており、好適には黄銅から成っていてよい。
【００１８】
好適には、回路コンタクトは制御回路からコネクタ内に通じており、コネクタは、コネクタ底部と、コネクタ底部を起点とするコネクタカラーとを有しており、コネクタカラーは、コネクタの周面に沿って、特に周囲を閉じられている。この場合、回路コンタクトはコネクタ底部を越えて突出しており、コネクタカラーとコネクタ壁とは、電気的な差込み接続部の差込み方向において、互いにオーバラップしている。ケーシング壁がトランスミッション壁である場合、好適には、制御回路はトランスミッションの制御および／調整に適したまたは適合された電子回路である。
【００１９】
本発明は、好適な構成に応じて様々な技術上の利点をもたらすことができる。工場での車両の定期整備では、全てのセンサドームをより新しいセンサドームに的確に交換することができる。センサドームを交換する必要無しに、いわゆる第２の室に組み込まれたトランスミッション制御装置を交換する可能性も存在する。より古い世代のセンサドームをより新しいものと交換することにより、トランスミッションプラットフォームを最新化することも可能である。ソフトウェアアップデートにより、トランスミッション電子制御装置を最新化することもできる。１つのトランスミッション制御装置が、同時に複数のトランスミッションプラットフォームをカバーしてもよい。複数のコネクタインタフェースが、トランスミッション内で局所的にずらされた複数のセンサドームの使用を可能にする。センサドームにおけるシールを用いた密閉は、トランスミッション電子制御装置およびコネクタインタフェースを、トランスミッション内のオイル中の腐食性の化学反応の相手、オイル蒸気、高温のオイル飛沫およびトランスミッション内の摩耗による残留汚れから、特に有効に防護することができる。
【００２０】
以下、１つの好適な実施例を示す添付の図面に基づき本発明を説明する。
【図面の簡単な説明】
【００２１】
【図１】本発明によるセンサドームユニットの１つの実施例を示す断面図であり、図面の一部には、隣接するコンポーネントも部分的に示されている。
【発明を実施するための形態】
【００２２】
例示したセンサドームユニット１には、センサドーム２とケーシング壁３とが含まれており、ケーシング壁３は、本例ではトランスミッション壁３’、特にトランスミッション外壁である。センサドーム２は、センサ４と、電子回路に対する接触接続用の複数の導電性のドームコンタクト６とを有しており、ドームコンタクト６はそれぞれ、各１つの電気的な導体５を介してセンサ４に接続されている。全体を符号２で表したセンサドームは、ドームケーシング７を有している。ドームケーシング７には、全体が一体に形成されている場合には、内部にセンサ４が配置された第１のドームケーシング部８と、内部にドームコンタクト６が配置された第２のドームケーシング部９と、センサドーム２の長手方向Ｌに関して各ドームケーシング部８，９の間に配置された、接続部１１とも呼ばれる第３のドームケーシング部１０とが含まれる。センサ４は、複数のドームコンタクト６に接続されているが、図１の断面には、ドームコンタクト６と導体５とがそれぞれ１つずつしか図示されていない。トランスミッション壁３’には貫通開口１２が形成されている。センサドーム２は、第１のドームケーシング部８の端面側の外側表面１３が、センサドーム２とトランスミッション壁３’の壁内面１５とに隣接する第１の室１４に面しており、かつドームコンタクト６が、センサドーム２とトランスミッション壁３’の壁外面１７とに隣接する第２の室１６に面しているように形成されて、トランスミッション壁３’に取り付けられている。第１のドームケーシング部８は、端面側の外側表面１３に対して付加的に、側方の外側表面を有している。第２の室１６は、図１ではケーシング壁３とセンサドーム２の下側に延在している。センサドームユニット１には、シール手段１８としてＯリング１９が含まれている。本例では、壁外面１７に、貫通開口の縁部を取り囲む溝２０が形成されており、この溝２０にＯリング１９が挿入されている。本例ではフランジとして形成されかつ接続部１１を形成する第３のドームケーシング部１０は、壁外面１７に当て付けられてＯリング１９にオーバラップしている。図面から、センサドーム２とＯリング１９とは、貫通開口１２の閉鎖部２１を形成するようにトランスミッション壁３’に取り付けられていることが明らかである。この場合、Ｏリング１９は、第１の室１４と第２の室１６との間で閉鎖部２１のシールを形成する。
【００２３】
本例において、第１の室１４は、内部にとりわけ歯車２２が位置しているトランスミッションの内室である。本例において、第２の室１６は、第１の室１４からセンサドーム２とＯリング１９とによってだけでなく、その他でも完全にシールされているので、第２の室１６が第１の室１４の内部に存在している媒体、例えばオイル等に接触することはない。これに相応して、センサドーム２とＯリング１９とにより実現される閉鎖部も、オイル密に形成されている。
【００２４】
センサドームユニット１には複数の固定手段２３が含まれており、これらの固定手段２３は、本例では接続部１１をトランスミッション壁３’に固定するねじである。本例では、ドームケーシング７はプラスチックから製造されており、この場合、センサ４はプラスチック中に埋設されている。
【００２５】
本例では、第２のドームケーシング部９は、フランジとして形成された接続部１１を起点とするコネクタ壁２４を形成しており、コネクタ壁２４は、周方向で閉じられてドームコンタクト６を包囲するように延在している。本例では、ドームコンタクト６は圧接コンタクト２５として形成されている。図示の実施例では、センサドームユニット１には制御回路２６（概略的にのみ図示）が含まれている。制御回路２６は、トランスミッション制御および／または調整用の電子制御装置を有していてよい。制御回路２６は複数の回路コンタクト２７を有しており、これらの回路コンタクト２７のうち、図１の断面には１つの回路コンタクト２７だけが図示されている。回路コンタクト２７は、それぞれドームコンタクト６に導電接続されている。本例では、回路コンタクトはブレードコンタクト２８として形成されている。センサドーム２を制御回路２６に電気的に接続するために、圧接コンタクト２５がそれぞれ各１つのブレードコンタクト２８に被せ嵌められてよく、その結果、各１つの導電性の差込み接続部２９が生じている。ドームコンタクト６と回路コンタクト２７とは、例えば黄銅または別の金属から製造されていてよい。被せ嵌めに際しては、圧接コンタクト２５の両脚片が外側に向かって弾性的に曲げ開かれ、これにより両脚片は、ブレードコンタクト２８に対して締付け力を加えることになる。この点において差込み接続部２９は、差込み緊締接続部である。
【００２６】
本例では、回路コンタクト２７は制御回路２６からコネクタ３０内に通じていることが想定されている。コネクタ３０は、コネクタ底部３１と、コネクタ底部３１を起点とするコネクタカラー３２とを有している。コネクタカラー３２は、コネクタ周面に沿って延在していて、周囲を閉じられている。回路コンタクト２７は、コネクタ底部３１を越えて突出している。コネクタカラー３２とコネクタ壁２４とは、電気的な差込み接続部２９の差込み方向、つまり長手方向Ｌに対して平行な方向において互いにオーバラップしている。本例では、制御回路２６はトランスミッション制御および／または調整に適した電子制御装置である。
【００２７】
開示した全ての特徴は、（それ自体でも、互いに組み合わせられても）本発明の本質を成すものである。下位請求項は、特にこれらの請求項に基づき分割出願を行うために、その特徴でもって、独自の進歩性を有する従来技術の改良を特徴付けている。
【符号の説明】
【００２８】
１  センサドームユニット
２  センサドーム
３  ケーシング壁
３’  トランスミッション壁
４  センサ
５  導体
６  ドームコンタクト
７  ドームケーシング
８  第１のドームケーシング部
９  第２のドームケーシング部
１０  第３のドームケーシング部
１１  接続部
１２  貫通開口
１３  外側表面
１４  第１の室
１５  壁内面
１６  第２の室
１７  壁外面
１８  シール手段
１９  Ｏリング
２０  溝
２１  閉鎖部
２２  歯車
２３  固定手段
２４  コネクタ壁
２５  圧接コンタクト
２６  制御回路
２７  回路コンタクト
２８  ブレードコンタクト
２９  差込み接続部
３０  コネクタ
３１  コネクタ底部
３２  コネクタカラー
Ｌ  長手方向
【図１】
2018533177.tif 000003
【国際調査報告】
2018533177.tif 000004
2018533177.tif 000005
2018533177.tif 000006
2018533177.tif 000007
2018533177.tif 000008
2018533177.tif 000009
2018533177.tif 000010
2018533177.tif 000011
2018533177.tif 000012
2018533177.tif 000013